(57)【特許請求の範囲】
【請求項１】
電子楽器の基体に一端部が固定され、他端部が自由端となるように設けられた板バネと、
この板バネの固定部から自由端までのいずれかの所定箇所に配置された重りと、
前記板バネにおける前記重りの配置位置の一部から重りより固定端側にわたって支持するように該板バネの下面に設けられた連結部と、
演奏者によって踏み下げられるペダルと、
このペダルに連動して上下動する作用端部を有し、前記板バネの下面に設けられた前記連結部を該作用端部にて支持してなり、前記ペダルの踏み下げに応じて該作用端部が上向きに動くとき、前記板バネを前記連結部の箇所で押し上げることでその反力を前記ペダル側に伝達する作動部材と
を備えたことを特徴とするペダル装置。
【請求項２】
電子楽器の基体に一端部が固定され、他端部が自由端となるように設けられた板バネと、
この板バネの固定部から自由端までのいずれかの第１の所定箇所に配置された重りと、
演奏者によって踏み下げられるペダルと、
このペダルに連動して上下動する作用端部を有し、前記板バネの重り位置より自由端側に位置する第２の所定箇所を該作用端部にて支持してなり、前記ペダルの踏み下げに応じて該作用端部が上向きに動くとき、前記板バネの前記第２の所定箇所を押し上げることでその反力を前記ペダル側に伝達する作動部材と
を備えたことを特徴とするペダル装置。
【発明の詳細な説明】
【０００１】
【発明の属する技術分野】
この発明は電子ピアノなどの電子鍵盤楽器に用いられるペダル装置に係り、特に生ピアノに近いタッチを実現したペダル装置に関する。
【０００２】
【従来の技術】
従来、電子鍵盤楽器の中には、通常の生ピアノに設けられているダンパーペダル、ソフトペダル、ソステヌートペダルなどと同様の働きをする３本のペダルを装備したものがある。電子鍵盤楽器の場合は生ピアノのように実際に打弦して発音させていないので、ペダルの操作量に応じてダンパリフタを持ち上げたり、ソステヌートロッドを回動したりして、実際にダンパを弦から離すといった動作を行う必要がない。その代わりに、これらのペダル操作に対応した処理を電気的に行い、ペダルが操作されたのと同じような発音を行うようになっている。従って、ペダル装置そのものの機構は簡単であり、図３に示すように、ペダル指示部材３１に回動可能に取り付けられたペダル３２と底板３３との間にコイルバネ３４を設け、それによってペダル３２に上向きの反力を与えているだけという単純なものである。
【０００３】
【発明が解決しようとする課題】
電子鍵盤楽器の場合、ペダル３２の下からコイルバネ３４で反力を与えているため、他の反力を利用することは困難である。また、電子鍵盤楽器のペダル装置では、コイルバネ３４によって反力を発生しているので、ペダル３２を踏み込むほどその反力が大きくなる。これはコイルバネ３４の反力Ｆがコイルバネ３４の収縮長さｘに比例するという関係（Ｆ＝ｋｘ，ｋ：定数）からである。そして、コイルバネ３４の反力は踏み込む時の速度ｖにはなんら依存しない。これに対して、生ピアノの場合は、重いダンパーなどの各種機構をペダルの操作だけで持ち上げているため、電子鍵盤楽器のペダル装置とは逆に、ペダル位置に応じて反力が依存することはなく、ペダルの踏み込み速度ｖの自乗とダンパーなどの重さｍとの積に依存することになる。従って、踏み込み速度が早い場合にはペダル操作を重く感じ、踏み込み速度が遅い場合には軽く感じたりする。すなわち、電子鍵盤楽器のペダル装置のタッチ感はコイルバネの押し込み位置に依存する位置依存型であり、ペダルの踏み込み速度に依存する速度依存型である生ピアノのペダル装置のタッチ感とは全く異なるものであった。
【０００４】
この発明は上述の点に鑑みてなされたものであり、軽量かつ簡単な構成で生ピアノのペダル装置に近いタッチ感を実現することのできるペダル装置を提供することを目的とする。
【０００５】
【課題を解決するための手段】
請求項１に係るペダル装置は、電子楽器の基体に一端部が固定され、他端部が自由端となるように設けられた板バネと、この板バネの固定部から自由端までのいずれかの所定箇所に配置された重りと、前記板バネにおける前記重りの配置位置の一部から重りより固定端側にわたって支持するように該板バネの下面に設けられた連結部と、演奏者によって踏み下げられるペダルと、このペダルに連動して上下動する作用端部を有し、前記板バネの下面に設けられた前記連結部を該作用端部にて支持してなり、前記ペダルの踏み下げに応じて該作用端部が上向きに動くとき、前記板バネを前記連結部の箇所で押し上げることでその反力を前記ペダル側に伝達する作動部材とを備えたものである。板バネの一端を固定し、他端を自由に揺動可能な自由端とし、板バネの固定部から自由端までのいずれかの所定箇所に重りを配置し、他方、板バネにおける重りの配置位置の一部から重りより固定端側にわたって支持するように該板バネの下面に連結部を設けて、該連結部をペダルに連動する作動部材の作用端部によって支持し、ペダルの操作に応じて該作動部材の作用端部によって該板バネを該連結部の箇所で押し上げ駆動するようにしたので、板バネと重りの双方で反力が生じる。板バネの揺動範囲が短いので、板バネ自体の発生する反力はほぼ一定となり、ペダルのタッチ感は位置依存型とはならずに、重りの影響を受けた速度依存型となる。従って、踏み込み速度が早い場合にはペダル操作を重く感じ、踏み込み速度が遅い場合には軽く感じるようになる。
請求項２に係るペダル装置は、電子楽器の基体に一端部が固定され、他端部が自由端となるように設けられた板バネと、この板バネの固定部から自由端までのいずれかの第１の所定箇所に配置された重りと、演奏者によって踏み下げられるペダルと、このペダルに連動して上下動する作用端部を有し、前記板バネの重り位置より自由端側に位置する第２の所定箇所を該作用端部にて支持してなり、前記ペダルの踏み下げに応じて該作用端部が上向きに動くとき、前記板バネの前記第２の所定箇所を押し上げることでその反力を前記ペダル側に伝達する作動部材とを備えたものである。この場合も、板バネの一端を固定し、他端を自由に揺動可能な自由端とし、板バネの固定部から自由端までのいずれかの第１の所定箇所に重りを配置し、他方、板バネの重り位置より自由端側に位置する第２の所定箇所をペダルに連動する作動部材の作用端部によって支持して、板バネの該第２の所定箇所をペダルの操作に応じて該作動部材の作用端部によって押し上げ駆動するようにしたので、板バネと重りの双方で反力が生じ、上述と同様の効果を奏する。
【０００６】
【発明の実施の形態】
以下、この発明の実施の形態を添付図面に従って詳細に説明する。図１はこの発明に係るペダル装置の概略構成を示す図であり、図１（Ａ）は電子楽器の棚板部分の構成を示し、図１（Ｂ）はペダル部分の構成を示す。
【０００７】
ペダル部分の構成は従来のものと同じなので、簡単に説明する。ペダル支持部材２は底板１に取り付けられており、その支点ピン３にペダル４が回動自在に取り付けられている。ペダル４の後端部には突き上げ棒６が設けられている。突き上げ棒６とペダル支持部材２の間には、ペダル４を踏み下げる方向の反力をペダル４に与えるコイルバネ５が設けられている。このコイルバネ５の反力によって突き上げ棒６には上向きの力が与えられており、レバー８の下側端部に設けられた緩衝材９１と突き上げ棒６のキャプスタンスクリュー６１は常時接触するようになっている。緩衝材９１はフェルト、樹脂、ゴムなどからなる。すなわち、突き上げ棒６の上下移動とレバー８の回転移動が連動するようになっている。
【０００８】
レバー８は棚板７の下側にネジ止めされたレバー支持部材９の支点ピンを中心として回動する。棚板７の下側にはレバー８の回動範囲を規制するストッパー１０及び１１が設けられている。ストッパー１０はＬ字型をしており、レバー８の下限位置を規制し、ストッパー１１は上限位置を規制し、レバー８のストローク範囲を規定している。レバー８のストッパー１１側には、フェルト、樹脂、ゴムなどからなる緩衝材９２が取り付けられており、緩衝材９２はクロス９３で被覆されている。
【０００９】
棚板７の上側にはＵ字型の板バネ１３の一端側１３ｃがネジ止めされている。Ｕ字型の板バネ１３の他端側とレバー８との間には棚板７の貫通穴を上下するように設けられた連結棒１４によって連動可能なように結合されている。連結棒１４の両端には緩衝材１４１，１４２が設けられている。コイルバネ１２は棚板７に向かう反力をレバー８に与えており、連結棒１４がＵ字型板バネ１３の連結板１３１に常時接触するようにしている。板バネ１３の上面側には重り１５がネジ止めされている。重り１５は板バネ１３の動きに連動するようになっている。従って、板バネ１３はペダル４の動きに連動することになる。板バネ１３の自由端部には、レバー８と同様に重り１５の結合された板バネ１３の移動範囲を規制するストッパー１６及び１７が棚板７に固定されて設けられている。ストッパー１６はＬ字型をしており、板バネ１３の上限位置を規制し、ストッパー１７は下限位置を規制し、板バネ１３のストローク範囲を規定している。板バネ１３のストッパー１６側には、フェルト、樹脂、ゴムなどからなる緩衝材９４が取り付けられている。この緩衝材９４がストッパー１６に当接して上限が規制される。板バネ１３のストッパー１７側には緩衝材９５が取り付けられており、クロス９６で２重に被覆されている。このクロスがストッパー１７に当接することで下限位置が規制される。板バネ１３はネジ止め用の穴１３ａ及び１３ｂを介して棚板１７にネジ止めされる。
【００１０】
図１のペダル装置の動作について説明する。演奏者がペダル４を踏み下げることによって、突き上げ棒６は上昇する。突き上げ棒６の上昇に応じてレバー８が棚板７側に回動する。レバー８の回動に応じて連結棒１４が上昇する。連結棒１４の上昇に伴って板バネ１３は棚板７から離れる方向に回動する。すなわち、板バネ１３はペダル４の踏み込みに連動して回動し、その回動速度などもペダル４の踏み込み速度に依存する。このとき、板バネ１３には重り１５が設けられているので、回動速度ｖの自乗と重りの重量ｍとの積に応じた重量感がペダル４に生じる。また、板バネ１３の回動ストロークは短いので、板バネ１３の反力Ｆ（＝ｋｘ）はほとんど変化しないので、ペダル４のタッチ感は位置依存型とはならずに、重り１５の影響を受けた速度依存型となる。
【００１１】
図２は、この発明に係るペダル装置の別の実施の形態の概略構成を示す図である。図２において図１と同じ構成のものには同一の符号が付してあるので、その説明は省略する。この実施の形態が図１と異なる点は、棚板７の下側にＵ字型の板バネ１３を設け、板バネ１３の端部を直接突き上げ棒６のキャプスタンスクリュー６１で駆動するようにした点である。これによって、図１の棚板７の下側に設けてあったレバー８などの各機構を省略でき、大幅な部品点数の削減が可能となり、ペダル４に与える重量感などは同じようにすることができる。
【００１２】
なお、上述の実施の形態では、電子楽器の棚板７に板バネを設ける場合について説明したが、ペダル４の近くに設けるようにしてもよい。また、上述の実施の形態ではＵ字型の板バネを用いた場合について説明したが、板バネの形状はこれに限定されるものではなく、ヘの字型やＬ字型、コの字型などのあらゆる形状のものであってもよい。また、上述の実施の形態では、板バネの反力を利用しないものとしていたが、回動ストロークをある程度増して、重りの質量による重量感と、バネの反力の双方を利用するようにしてもよい。この場合、さらに、板バネは重ね板バネによってバネ係数を調整してもよい。上述の実施の形態では、重り１５は板バネの付近に設ける場合について説明したが、板バネの長さをストッパの位置よりも長くして突き上げ棒６の右側に重りを設けるようにして、重りを軽量化してもよい。また、図１のレバー８の代わりに、Ｕ字型の板バネを設けて、棚板の上下を板バネで構成してもよい。
【００１３】
【発明の効果】
この発明によれば、軽量かつ簡単な構成で生ピアノのペダル装置に近いタッチ感を実現することのできるという効果がある。
【図面の簡単な説明】
【図１】  この発明に係るペダル装置の実施の形態の概略構成を示す図である。
【図２】  この発明に係るペダル装置の別の実施の形態の概略構成を示す図である。
【図３】  従来のペダル装置の概略構成を示す図である。
【符号の説明】
１…底板、２…ペダル支持部材、３…支点ピン、４…ペダル、５，１２…コイルバネ、６…突き上げ棒、７…棚板、８…レバー、９…レバー支持部材、１０，１１，１６，１７…ストッパー、１３…板バネ、１４…連結棒、１５…重り、９１，９２，９４，９５…緩衝材、９３，９６…クロス
【図１】
0004029513.tif 000002
【図２】
0004029513.tif 000003
【図３】
0004029513.tif 000004